(57)【特許請求の範囲】
【請求項１】
マイクロ波回路であって、
複数の波形信号のうちそれぞれの波形信号を受信し伝搬するように各々構成された複数の伝送ラインと、
前記複数の伝送ラインの出力から前記複数の波形信号を受信し、前記複数の波形信号を出力終端抵抗による終端出力である結合出力波形信号に結合するコンバイナと、
前記マイクロ波回路を介した信号の伝送に関連する反射を軽減するための補償信号を生成する補償信号生成器と、
を備えるマイクロ波回路。
【請求項２】
第１の波形信号を生成する波形生成器と、前記第１の波形信号を前記複数の伝送ラインに供給される前記複数の波形信号に分割するためのスプリッタとをさらに備える請求項１に記載のマイクロ波回路。
【請求項３】
前記スプリッタと前記複数の伝送ラインと前記コンバイナは、超伝導極低温の温度環境にある低温空間に存在する超伝導回路を形成し、前記波形生成器と前記補償信号生成器は、前記低温空間の外側において室温環境に存在する、請求項２に記載のマイクロ波回路。
【請求項４】
前記波形生成器と前記スプリッタとの間に結合された第１の同軸ケーブルと、前記コンバイナと前記補償信号生成器との間に結合された第２の同軸ケーブルとをさらに備える請求項２に記載のマイクロ波回路。
【請求項５】
前記波形生成器は所定周波数での交流入力信号を供給する交流源であり、前記補償信号生成器は同一の前記所定周波数での交流補償信号を供給する交流源である、請求項２に記載のマイクロ波回路。
【請求項６】
前記波形生成器は入力終端抵抗によって終端される、請求項２に記載のマイクロ波回路。
【請求項７】
前記複数の伝送ラインは各々、１つまたは複数のレシプロカル量子論理（ＲＱＬ）回路に波形信号を供給するように構成されている、請求項１に記載のマイクロ波回路。
【請求項８】
前記複数の波形信号は、前記ＲＱＬ回路に電力およびクロック機能を提供する、請求項７に記載のマイクロ波回路。
【請求項９】
前記ＲＱＬ回路は、前記複数の伝送ラインの各々に関連付けられた複数の集積ＲＱＬ回路を構成する、請求項７に記載のマイクロ波回路。
【請求項１０】
前記補償信号は、前記マイクロ波回路における全ての反射の合計の逆数である、請求項１に記載のマイクロ波回路。
【請求項１１】
マイクロ波回路における不連続性を補償する方法であって、
超伝導回路に波形信号を適用すること、
前記マイクロ波回路を介した前記波形信号に関連する信号の伝送に関連する反射を軽減するための補償信号を前記超伝導回路に適用すること、
を備える方法。
【請求項１２】
前記超伝導回路に波形信号を適用することは、
前記超伝導回路の複数の伝送ラインの各々に波形信号を適用すること、
前記複数の伝送ラインの出力からの波形信号を結合出力波形信号に結合すること、
前記マイクロ波回路を介した前記信号の伝送に関連する反射を軽減するための前記補償信号を前記結合出力波形信号に与えること、
を含む、請求項１１に記載の方法。
【請求項１３】
前記超伝導回路の動作に関連付けられた１つまたは複数の動作パラメータを繰り返し測定すること、
前記補償信号に関連付けられた設定を調整すること、
前記１つまたは複数の動作パラメータの測定を繰り返すこと、
最適な設定が決定されるまで、前記調整後の設定が以前の設定よりも最適であるか否かを判定すること、
前記超伝導回路の通常動作に対する前記最適な設定を用いて前記補償信号を設定すること、
をさらに備える請求項１１に記載の方法。
【請求項１４】
前記設定を調整することは、前記補償信号の振幅を調整することを含む、請求項１３に記載の方法。
【請求項１５】
前記波形信号と前記補償信号は、同一の所定周波数に設定されている、請求項１１に記載の方法。
【発明の詳細な説明】
【技術分野】
【０００１】
本発明は、概して超伝導回路に関し、より詳しくは、能動終端を有する超伝導回路に関する。
【背景技術】
【０００２】
信号反射は、信号が銅ケーブルや光ファイバなどの伝送媒体に沿って伝送されるときに生じる。信号電力の一部は、ケーブルに沿って遠端に完全に伝搬されず、元の場所に反射され得る。これは、ケーブルの遷移における不完全性がインピーダンスの不一致やケーブル特性の非線形変化を引き起こすために起こる。これらの急激な特性の変化により、送信信号の一部が反射される。反射で戻されたエネルギーの比は、インピーダンスの不一致に依存する。インピーダンスの不連続性は、減衰、減衰歪み、定常波、リンギング、および他の影響を引き起こす。これは、送信信号の一部分が受信機へと続くのではなく、エコーのように反射されて送信装置に戻されるためである。この影響は、複数の不連続性に起因して残りの信号のさらなる部分が反射されて送信機に戻される場合にはさらに大きくなる。これは、デイジーチェーンにて電子部品を接続する方法における基本的な問題である。
【発明の概要】
【発明が解決しようとする課題】
【０００３】
超伝導マイクロ波回路は、回路の不連続性、特に、室温下において存在する通常の回路と、「低温空間」と呼ばれる超伝導冷却極低温（例えば４°Ｋ）下において存在する超伝導回路との間で信号を伝搬するときに引き起こされる同様の問題を有している。すなわち、回路の結合やマイクロ波信号の分割および結合が、回路の遷移に起因するインピーダンスの不一致をもたらし、その結果、元の交流信号（例えば、クロック信号）を歪ませる交流伝搬信号の信号反射がマイクロ波回路を介して伝搬するものとなる。これらの欠点を有するマイクロ波信号経路のインピーダンス整合を提供するためのいくつかの試みがなされている。
【０００４】
例えば、図１は、交流源（ＶAC）を用いて超伝導回路１２に交流入力信号を供給する超伝導回路１２を有する一従来のマイクロ波回路１０を示す。交流源ＶACは入力終端抵抗ＲTINによって終端される電源である。入力終端抵抗ＲTINと交流源ＶACはともに、例えば、同軸ケーブルを介して超伝導回路１２に結合された室温環境下に存在する。超伝導回路１２は、過冷却された極低温冷凍機などの低温空間１６に存在する。超伝導回路１２は、交流入力信号を、超伝導伝送ライン１８を介して超伝導回路１２を伝搬する８つの交流中間信号に分割する電力スプリッタ１４を含む。８つの超伝導伝送ラインの各々は、同じく低温空間１６に存在するそれぞれの終端抵抗（ＲTOUT1〜ＲTOUT8）によって終端される。この構成の問題点は、終端抵抗ＲTOUT1〜ＲTOUT8が低温空間内に電力を放散することにあり、終端抵抗ＲTOUT1〜ＲTOUT8によって電力が放散される結果として、過冷却された極低温を低温空間で維持するために放散電力よりもかなりの大きな電力を消費することにある。例えば、低温空間における１ワットの電力散逸のために、低温空間を選択された極低温温度に保つためには最大１０００ワットの電力が消費され得る。
【０００５】
図２は、室温で単一の出力終端抵抗ＲTOUTを有する超伝導回路パッケージ３２を有する他のマイクロ波回路３０を示す。超伝導回路パッケージ３２は、スプリッタ３４と、複数の超伝導伝送ライン４０および他の超伝導回路（例えば、バイアスインダクタ）を有するレシプロカル量子論理（ＲＱＬ）回路３６と、超伝導回路パッケージ３２に存在する電力コンバイナ３８とを含む。超伝導回路パッケージ３２は、低温空間内に存在するプリント回路基板とすることができる。交流源（ＶAC）は入力抵抗（ＲTIN）で終端されており、それらは双方ともに室温下に存在している。交流源ＶACは、交流入力信号を電力スプリッタ３４に供給する。電力スプリッタ３４は、その交流入力信号を、ＲＱＬ回路３６の対応する超伝導伝送ライン４０の入力に印加される複数の交流中間信号に分割する。複数の交流中間信号は、複数の超伝導伝送ライン４０を介して、電力コンバイナ３８の入力に結合されたそれぞれの出力に伝搬される。電力コンバイナ３８は、複数の交流中間信号を、低温空間の外側において室温下に存在する出力終端抵抗（ＲTOUT）により終端される単一の結合交流出力信号に結合する。
【０００６】
しかしながら、交流入力源ＶACから電力スプリッタ３４への遷移、超伝導伝送ラインから電力コンバイナ３８への遷移、電力コンバイナ３８から出力終端抵抗ＲTOUTへの遷移は、超伝導回路における反射を引き起こし得る。特に、破線で示されるように、電力コンバイナ３８までの遷移に起因する反射や、電力コンバイナ３８からの遷移に起因する反射は、ＲＱＬ回路３６において定在波を発生させる。定在波は、交流入力信号の式で示される、振幅Ａの所望の順方向進行波と振幅Ｂの不所望の逆方向進行波とからなり、Ａｅiωt＋Ｂｅ-iωtで示される。この定在波は、超伝導回路パッケージ３２の動作マージンを直接減少させる。
【課題を解決するための手段】
【０００７】
一つの例において、複数の波形信号のうちそれぞれの波形信号を受信し伝搬するように各々構成された複数の伝送ラインと、複数の伝送ラインの出力から複数の波形信号を受信して、複数の波形信号を出力終端抵抗による終端出力である結合出力波形信号に結合するコンバイナとを備えるマイクロ波回路が提供される。マイクロ波回路はさらに、マイクロ波回路を介した信号の伝送に関連する反射を軽減するための補償信号を生成する補償信号生成器を備える。
【０００８】
他の例において、交流入力信号を生成する交流源と、超伝導極低温に維持される低温空間内に存在する超伝導回路とを備えるマイクロ波回路が提供される。超伝導回路は、交流入力信号を複数の交流中間信号に分割するためのスプリッタと、複数の交流中間信号のうちそれぞれの交流中間信号を受信し伝搬するように各々構成された複数の伝送ラインと、複数の伝送ラインの各々について伝送ラインに結合されたレシプロカル量子論理（ＲＱＬ）回路群と、複数の伝送ラインの出力から複数の交流中間信号を受信して、複数の交流中間信号を結合交流出力信号に結合するコンバイナとを含む。マイクロ波回路はさらに、超伝導回路を介した信号の伝送に関連する反射を軽減するための補償信号を生成する出力源終端補償信号生成器を備える。
【０００９】
さらに別の例において、マイクロ波回路における不連続性を補償するための方法が開示される。方法は、超伝導回路に波形信号を適用すること、および、マイクロ波回路を介した波形信号に関連する信号の伝送に関連する反射を軽減するための補償信号を超伝導回路に適用することを備える。
【図面の簡単な説明】
【００１０】
【図１】交流入力信号を受信する超伝導回路を有する一従来のマイクロ波回路を示す図。
【図２】交流入力信号を受信する超伝導回路を有する他の従来のマイクロ波回路を示す図。
【図３】マイクロ波回路における反射の影響を軽減する補償信号を生成するマイクロ波回路の例を示す図。
【図４】マイクロ波回路における反射の影響を軽減する補償信号を生成する他のマイクロ波回路の例を示す図。
【図５】マイクロ波回路における不連続性を補償する方法のフロー図。
【発明を実施するための形態】
【００１１】
低温空間に存在するとともに、低温空間の外側から第１の波形信号（例えば、交流入力信号）を受信する超伝導回路を含むマイクロ波回路が提供される。低温空間は、超伝導と呼ばれる、或る金属または合金が電流を殆ど抵抗なく伝導させるための温度を有する密閉チャンバとして定義される。超伝導は通常、−４５９．６７°Ｆ（２７３．１５°Ｃ）における絶対ゼロに近い温度で生じるが、−２００°Ｆ（１２８．８８°Ｃ）程度の高温においても観測される。例えば、ある特定の温度は４°ケルビン（−２６９．１５℃）である。第１の波形信号は、低温空間の外側において例えば室温環境下に存在する終端抵抗に超伝導回路を介して伝搬される。第１の波形信号は、例えばレシプロカル量子論理（ＲＱＬ）回路などの超伝導回路にクロック信号および電力を供給することに関連するクロック信号とすることができる。
【００１２】
ＲＱＬ回路は、新しい種類の超伝導論理マイクロ波回路であり、量子化された単一磁束パルスの相互対を利用して古典的な論理ビットを符号化する高速単一磁束量子論理のいくつかの問題の改善を試みるものである。ＲＱＬでのデータ符号化は、磁束量子の整数単位を用いて行われる。ＲＱＬゲートは動作にバイアス抵抗を必要とせず、これにより従来の超伝導ロジックファミリよりも数桁小さい消費電力を可能とする。
【００１３】
マイクロ波回路の適切な終端は、一般に、電力を消散させる整合抵抗負荷を含む。ＲＱＬ回路におけるマイクロ波クロック分配に関しては、回路の極低温動作温度ではなく、室温で終端抵抗を有することが望ましい。したがって、室温で生成された電力は極低温回路に供給され、その後、室温に戻される。室温終端の問題は、回路全体で整合インピーダンスを保証するためにパッケージ遷移をシームレスにする必要があることである。パッケージの−２０ｄＢの反射でさえも、回路の動作マージンを大幅に低減するクロックライン上に１．２：１のＶＳＷＲ（電圧定在波比）を生じさせ得る。反射は−３０ｄＢ以下であることが望ましいが、パッケージの遷移についてはほぼ完璧にする必要がある。
【００１４】
終端抵抗は、超伝導回路に対して整合インピーダンス出力を提供して、回路全体における不一致のインピーダンスに関連する信号歪みを軽減することが意図される。不一致のインピーダンスは、通常、室温空間に存在する回路構成要素と低温空間に存在する回路構成要素との間の回路内の接続に関連するものなど、回路内の遷移によって引き起こされる。不一致のインピーダンスの問題を引き起こす他の遷移は、第１の波形信号から複数の波形信号を生成して、単一の終端抵抗による終端のために複数の波形信号を単一の出力波形に終端するために使用される信号スプリッタおよびコンバイナを含み得る。
【００１５】
回路全体の遷移は、第１の波形信号に向かって逆方向に伝播して第１の波形信号と結合する元の信号（すなわち、順方向進行波）における反射（すなわち、定在波）をもたらし、複数の波形および単一の出力波形における信号歪みを生じさせる。本明細書の一例によれば、出力終端抵抗に関連付けられた端部に補償信号が供給され、その補償信号がマイクロ波回路内の１つまたは複数の遷移によって引き起こされる反射を軽減するように調整される。補償信号は、信号反射の反転信号の写しであり、信号反射と組み合わせられることで信号反射を本質的に除去し、実質的に歪みのない順方向進行波信号を提供することができる。
【００１６】
１つの例では、反射に等しく且つ反射とは逆の波形をＲＱＬクロック戻りラインに対して能動的に適用することで、ＲＱＬ回路全体での反射を実質的に相殺することができる。この方法は、ＲＱＬ集積回路パッケージ内の多くの大きな反射に対しても効果的である。唯一の要件は、ＲＱＬ回路の伝送ラインが、論理回路が配置されている超伝導体空間における不連続性から解放されることである。これは、超伝導体回路のほぼ理想的なマイクロ波特性のために容易に達成される。
【００１７】
図３は、マイクロ波回路５０内において反射の影響を軽減するための補償信号を生成するマイクロ波回路５０の一例を示す。マイクロ波回路５０は、交流入力源（ＶAC）から交流入力信号を受信する超伝導回路パッケージ５２を含む。超伝導回路パッケージ５２は、電力スプリッタ５４と、複数の超伝導伝送ライン６０および他の超伝導回路（例えば、バイアスインダクタ）を有するＲＱＬ回路５６と、電力コンバイナ５８とを含む。超伝導回路パッケージ５２は、上記のように超伝導回路パッケージ５２を極低温に維持する低温空間内に存在するプリント回路基板とすることができる。交流源ＶACは入力終端抵抗ＲTINによって終端され、これらは双方ともに、低温空間の外側において例えば室温環境下に存在する。なお、交流源ＶACを終端する必要はない。
【００１８】
交流源ＶACは、交流入力信号を電力スプリッタ５４の入力に供給する。電力スプリッタ５４は、交流入力信号を、ＲＱＬ回路５６の対応する超伝導伝送ライン６０の入力に印加される複数の交流中間信号に分割する。交流入力信号は、ＲＱＬ回路５６に電力およびクロック機能の両方を提供するクロック入力とすることができる。複数の交流中間信号は、それぞれの複数の伝送ライン６０を介して、電力コンバイナ５８の入力に結合されるそれぞれの出力に伝搬される。電力コンバイナ５８は、これらの複数の交流中間信号を、低温空間の外において例えば室温環境下に存在する出力終端抵抗（ＲTOUT）によって終端される単一の結合交流出力信号に結合する。
【００１９】
しかしながら、交流入力源ＶACからパワースプリッタ５４への遷移、超伝導伝送ライン６０から電力コンバイナ５８への遷移、電力コンバイナ５８から出力終端抵抗ＲTOUTへの遷移が反射を引き起こす。特に、電力コンバイナ５８からの反射は、破線で示されるように、ＲＱＬ回路５６内に定在波を引き起こし、ＲＱＬ回路５６の動作マージンを直接減少させる。定在波は、ＲＱＬ回路５６の超伝導伝送ライン６０の破線位置における交流入力信号の式で示される、振幅Ａの所望の順方向進行波と振幅Ｂの不所望の逆方向進行波とからなり、Ａｅiωt＋Ｂｅ-iωtで示される。
【００２０】
出力終端抵抗（ＲTOUT）と直列に結合された第２の波形生成器（ＶCOMP）が設けられている。第２の波形生成器ＶCOMPは、位相および振幅の正確な調整を行って、ＲＱＬ回路５６内の反射と等しく且つその反射とは逆の補償信号を生成するために使用され得る。例えば、第２の波形生成器ＶCOMPは、信号の合計がＡｅiωt＋Ｂｅ-iωt−Ｂｅ-iωtに等しくなるように、振幅−Ｂの補償信号を生成し得る。これにより、第２項と第３項が相殺されてＲＱＬ回路５６における反射が相殺される。補償信号は、交流入力信号と同一の周波数の波形とすることができ、超伝導回路の内部および外部での遷移に関連する全ての信号反射の合計の逆数として算定される振幅を有する。これにより、マイクロ波回路５０での遷移における不連続点の数および大きさに関わらず、ＲＱＬ回路５６を通る実質的に完全な進行波が生成される。唯一の要件は、能動ＲＱＬ回路５８自体の領域内に不連続性がないことである。
【００２１】
図４は、マイクロ波回路７０における反射の影響を軽減するための補償信号を生成するマイクロ波回路７０の別の例を示す。マイクロ波回路７０は、低温空間に存在する超伝導回路パッケージ７２と、超伝導回路パッケージ７２の入力に結合された交流源（ＶAC）とを含む。交流源ＶACは、低温空間の外側において例えば室温環境下に存在し、交流入力信号（例えば、クロック信号）を超伝導回路パッケージ７２の入力に供給する。交流源ＶACは、入力終端抵抗ＲTINによって終端される電源である。なお、交流源ＶACを終端する必要はない。超伝導回路パッケージ７２は、交流入力信号ＶACを受信し、それを電力スプリッタ７６に供給する入力同軸ケーブル７４を含む。入力同軸ケーブル７４は、それぞれの超伝導伝送ライン７８に沿って伝搬する複数の交流中間入力信号を生成する。
【００２２】
超伝導回路パッケージ７２は、複数のＲＱＬ回路８０（例えば、ＲＱＬ集積回路）を含む。複数のＲＱＬ回路群は、対応する超伝導伝送ラインに結合されており、これにより、交流中間入力信号が異なるＲＱＬ回路８０に供給される。各ＲＱＬ回路８０は、１つまたは複数の超伝導伝送ラインと他の超伝導回路（例えば、バイアスインダクタ）とを含み、これにより、対応する交流中間入力信号を特定のＲＱＬ回路８０のクロックおよび電力として使用することが可能となる。また、超伝導回路パッケージ７２は、電力コンバイナ８２を含む。この電力コンバイナ８２は、複数の超伝導伝送ライン７８の出力を受信するための入力を含む。電力コンバイナ８２は、複数の交流中間信号を、超伝導回路パッケージ７２上の出力同軸ケーブル８４に供給される単一の結合交流出力信号に結合する。出力同軸ケーブル８４の出力は、低温空間の外側において例えば室温環境下に存在する出力終端抵抗ＲTOUTに供給される。
【００２３】
出力終端抵抗ＲTOUTと直列に結合される第２の波形生成器（ＶCOMP）が設けられている。第２の波形生成器ＶCOMPは、位相および振幅の正確な調整を行うことで、ＲＱＬ回路８０内で生成された反射に等しく且つその反射とは逆の補償信号を生成するために使用することができる。例えば、第２の波形生成器ＶCOMPは、信号の合計がＡｅiωt＋Ｂｅ-iωt−Ｂｅ-iωtに等しくなるように、振幅−Ｂの補償信号を生成し得る。これにより、第２項と第３項が相殺されてＲＱＬ回路８０における反射が相殺される。補償信号は、交流入力信号と同一の周波数の交流波形とすることができ、超伝導回路の内部および外部での遷移に関連する全ての信号反射の合計の逆数として算定される振幅を有する。これにより、超伝導回路パッケージ７２内およびマイクロ波構成要素内での遷移における不連続点の数および大きさに関わらず、ＲＱＬ回路８０を通る実質的に完全な進行波が生成される。唯一の要件は、能動回路の領域に不連続性がないことである。
【００２４】
図４に示される例は、同軸ケーブルからストリップラインへの遷移と、複数のレベルの深さであり得る電力スプリッタであって、単一の入力からＩ波形およびＱ波形を生成するハイブリッドを含む電力スプリッタと、複数のプリント回路基板上に実装され得る多くのＲＱＬ集積回路とを含む。上記したように、進行波は、能動回路の領域に不連続性がないという唯一の要件のみで、反射を相殺するために出力における単一源を用いて生成することができる。
【００２５】
上記の構造的及び機能的特徴を考慮して、例示の方法は、図５を参照することにより、さらに理解され得る。説明の簡略化のために、図５の方法を連続して実行されるものとして図示し説明するが、本発明は、図示の順序に限定されず、他の例ではいくつかの動作が本開示において図示され説明されるものとは異なる順序および／または同時に生じ得ることが理解され得る。
【００２６】
図５は、マイクロ波回路における不連続性を補償する方法のフロー図を示す。この方法は、図３または図４に示される超伝導回路などの入力に交流入力信号が印加されるステップ１１０で始まる。超伝導回路は低温空間内に存在し、交流入力信号を複数の超伝導伝送ラインにわたる複数の交流中間入力信号に分割する電力スプリッタを含み得る。これにより、１つまたは複数のＲＱＬ回路にクロックおよび電力を供給することができる。また、超伝導回路は、複数の超伝導伝送ラインの出力からの複数の交流中間入力信号を、超伝導回路の出力に供給される単一の交流出力に結合する電力コンバイナを含み得る。この単一の交流出力は、低温空間の外側にて例えば室温環境下に存在する終端抵抗によって終端される。次いで、方法はステップ１２０に進む。
【００２７】
ステップ１２０において、補償信号が超伝導回路の出力に適用される。補償信号は、交流入力信号と同じ周波数の交流波形とすることができる。この補償信号は、超伝導回路の内部および外部での遷移に関連する全ての信号反射の合計の逆数として算定される振幅を有する。次いで、方法はステップ１３０に進み、例えば、補償信号の初期振幅を提供することによって、補償信号設定を調整する。次いで、方法はステップ１４０に進み、超伝導回路の動作に関連する１つまたは複数の動作パラメータを測定する。例えば、複数の交流中間信号が超伝導回路上の異なる物理位置で同様の振幅を有するかどうかを判定するために、超伝導回路上の異なる点で測定を行うことができる。あるいは、超伝導回路の機能的動作は、超伝導回路に刺激を与え、超伝導回路の出力を観察して、反射の結果として動作の機能的動作または故障を検証することによって確認することができる。超伝導回路の１つまたは複数の動作パラメータの動作マージンを決定するために様々な技術を使用することができる。
【００２８】
次に、方法はステップ１５０に進み、補償信号の最適な設定が達成されたか否かを決定する。補償信号の最適な設定が達成された場合（ＹＥＳ）、方法はステップ１６０に進み、補償信号を超伝導回路の通常動作のための最適設定に設定する。補償信号の最適な設定が達成されていない場合（ＮＯ）、方法はステップ１３０に戻り、補償信号設定を調整する。次いで、方法は、ステップ１４０で１つまたは複数のパラメータの測定を繰り返し、最適な設定が達成されるまで、ステップ１５０で最適な設定が達成されたかどうかを判断する。例えば、補償信号設定では、超伝導回路の動作マージンが減少し始めるまで、その動作マージンが増加するように、補償信号の振幅を増加させることができる。補償信号の振幅を元の値に設定し、振幅の減少によって動作マージンが再び減少し始めるまで、超伝導回路の動作マージンが増加するか否かを判定すべく振幅を減少させることができる。最も望ましい動作マージンを提供する振幅は、最適な設定、したがって超伝導回路の通常の動作に使用される値として決定することができる。
【００２９】
［付記１］
マイクロ波回路であって、
複数の波形信号のうちそれぞれの波形信号を受信し伝搬するように各々構成された複数の伝送ラインと、
前記複数の伝送ラインの出力から前記複数の波形信号を受信し、前記複数の波形信号を出力終端抵抗による終端出力である結合出力波形信号に結合するコンバイナと、
前記マイクロ波回路を介した信号の伝送に関連する反射を軽減するための補償信号を生成する補償信号生成器と、
を備えるマイクロ波回路。
［付記２］
第１の波形信号を生成する波形生成器と、前記第１の波形信号を前記複数の伝送ラインに供給される前記複数の波形信号に分割するためのスプリッタとをさらに備える付記１に記載のマイクロ波回路。
［付記３］
前記スプリッタと前記複数の伝送ラインと前記コンバイナは、超伝導極低温の温度環境にある低温空間に存在する超伝導回路を形成し、前記波形生成器と前記補償信号生成器は、前記低温空間の外側において室温環境に存在する、付記２に記載のマイクロ波回路。
［付記４］
前記波形生成器と前記スプリッタとの間に結合された第１の同軸ケーブルと、前記コンバイナと前記補償信号生成器との間に結合された第２の同軸ケーブルとをさらに備える付記２に記載のマイクロ波回路。
［付記５］
前記波形生成器は所定周波数での交流入力信号を供給する交流源であり、前記補償信号生成器は同一の前記所定周波数での交流補償信号を供給する交流源である、付記２に記載のマイクロ波回路。
［付記６］
前記波形生成器は入力終端抵抗によって終端される、付記２に記載のマイクロ波回路。
［付記７］
前記複数の伝送ラインは各々、１つまたは複数のレシプロカル量子論理（ＲＱＬ）回路に波形信号を供給するように構成されている、付記１に記載のマイクロ波回路。
［付記８］
前記複数の波形信号は、前記ＲＱＬ回路に電力およびクロック機能を提供する、付記７に記載のマイクロ波回路。
［付記９］
前記ＲＱＬ回路は、前記複数の伝送ラインの各々に関連付けられた複数の集積ＲＱＬ回路を構成する、付記７に記載のマイクロ波回路。
［付記１０］
前記補償信号は、前記マイクロ波回路における全ての反射の合計の逆数である、付記１に記載のマイクロ波回路。
［付記１１］
マイクロ波回路であって、
交流入力信号を生成する交流源と、
超伝導極低温に維持された低温空間に存在する超伝導回路であって、
前記交流入力信号を複数の交流中間信号に分割するためのスプリッタと、
前記複数の交流中間信号のうちそれぞれの交流中間信号を受信し伝搬するように各々構成された複数の伝送ラインと、
前記複数の伝送ラインの各々について伝送ラインに結合されたレシプロカル量子論理（ＲＱＬ）回路群と、
前記複数の伝送ラインの出力から前記複数の交流中間信号を受信し、前記複数の交流中間信号を結合交流出力信号に結合するコンバイナと
を含む前記超伝導回路と、
前記超伝導回路を介した信号の伝送に関連する反射を軽減するための補償信号を生成する出力源終端補償信号生成器と、
を備えるマイクロ波回路。
［付記１２］
前記複数の交流中間信号は、前記ＲＱＬ回路群に電力およびクロック機能を提供する、付記１１に記載のマイクロ波回路。
［付記１３］
前記ＲＱＬ回路群は、前記複数の伝送ラインの各々に関連付けられた複数の集積ＲＱＬ回路を構成する、付記１１に記載のマイクロ波回路。
［付記１４］
前記超伝導回路はさらに、波形生成器と前記スプリッタとの間に結合された第１の同軸ケーブルと、前記コンバイナと第２の波形生成器との間に結合された第２の同軸ケーブルとをさらに含む、付記１１に記載のマイクロ波回路。
［付記１５］
前記超伝導回路は、１つまたは複数の部品としてのプリント回路基板上に存在する、付記１１に記載のマイクロ波回路。
［付記１６］
マイクロ波回路における不連続性を補償する方法であって、
超伝導回路に波形信号を適用すること、
前記マイクロ波回路を介した前記波形信号に関連する信号の伝送に関連する反射を軽減するための補償信号を前記超伝導回路に適用すること、
を備える方法。
［付記１７］
前記超伝導回路に波形信号を適用することは、
前記超伝導回路の複数の伝送ラインの各々に波形信号を適用すること、
前記複数の伝送ラインの出力からの波形信号を結合出力波形信号に結合すること、
前記マイクロ波回路を介した前記信号の伝送に関連する反射を軽減するための前記補償信号を前記結合出力波形信号に与えること、
を含む、付記１６に記載の方法。
［付記１８］
前記超伝導回路の動作に関連付けられた１つまたは複数の動作パラメータを繰り返し測定すること、
前記補償信号に関連付けられた設定を調整すること、
前記１つまたは複数の動作パラメータの測定を繰り返すこと、
最適な設定が決定されるまで、前記調整後の設定が以前の設定よりも最適であるか否かを判定すること、
前記超伝導回路の通常動作に対する前記最適な設定を用いて前記補償信号を設定すること、
をさらに備える付記１６に記載の方法。
［付記１９］
前記設定を調整することは、前記補償信号の振幅を調整することを含む、付記１８に記載の方法。
［付記２０］
前記波形信号と前記補償信号は、同一の所定周波数に設定されている、付記１６に記載の方法。
上記の説明は例示である。構造、構成要素、または方法のすべての考えられる組み合わせを説明することは勿論不可能であるが、当業者は、多くのさらなる組み合わせおよび置換が可能であることを認識し得る。したがって、本発明は、添付の特許請求の範囲を含む本出願の範囲内に含まれるそのような変更、修正、および変形をすべて包含することが意図される。
【図１】
0006457116.tif 000002
【図２】
0006457116.tif 000003
【図３】
0006457116.tif 000004
【図４】
0006457116.tif 000005
【図５】
0006457116.tif 000006